(57)【要約】      （修正有）【課題】防錆効果を有し、長期間で防錆作用を持続させることを可能にするボルトを提供する。【解決手段】ボルト１０の内部に油収容空間３０を配置し、シャンク２５の周面に油収容空間３０へ連通する複数の誘導孔４０を配置し、油収容空間３０に防錆液体を吸収可能な吸着部材を配置することによって構成される。油収容空間３０内の防錆液体を誘導孔４０からシャンク２５の外周面に浸透させることによってボルト１０に防錆作用を与えることが可能である。かつ防錆液体を徐々に滲出させることによって長時間の防錆効果を提供することが可能である。【選択図】図１
0003151188.tif 000002
【実用新案登録請求の範囲】
【請求項１】
ヘッドと、
前記ヘッドの底部に連結され、外周面にねじ山を有するシャンクと、を備える防錆効果を有するボルトであって、
ボルトの内部に配置される油収容空間と、
前記油収容空間に連通可能に前記シャンクの周面に配置される複数の誘導孔と、
防錆液体を吸収するために前記油収容空間に装着され、かつ防錆液体を前記誘導孔から前記シャンクの外周面に流出させる吸着部材と、
を有することを特徴とする防錆効果を有するボルト。
【請求項２】
前記油収容空間は、少なくとも一つの開口部および少なくとも一つのキャップを有し、前記開口部はボルトの一端に位置付けられ、前記キャップは前記油収容空間の前記開口部を密封することを特徴とする請求項１に記載の防錆効果を有するボルト。
【請求項３】
前記油収容空間の前記開口部は、前記ボルトの前記ヘッドに位置付けられることを特徴とする請求項２に記載の防錆効果を有するボルト。
【請求項４】
前記油収容空間の前記開口部は、前記ボルトの前記シャンクに位置付けられることを特徴とする請求項２に記載の防錆効果を有するボルト。
【請求項５】
前記油収容空間は、連続する第一空間および第二空間を有し、前期第一空間は前記シャンクに位置付けられ、前記第二空間は前記ヘッドに位置付けられ、前記誘導孔は前期第一空間に連通することを特徴とする請求項１に記載の防錆効果を有するボルト。
【請求項６】
前記ヘッドは、頂部に駆動部が凹設されていることを特徴とする請求項１に記載の防錆効果を有するボルト。
【請求項７】
前記誘導孔は、少なくとも二列で前記シャンクに配列されることを特徴とする請求項１に記載の防錆効果を有するボルト。
【請求項８】
前記吸着部材は、繊維材料であることを特徴とする請求項１に記載の防錆効果を有するボルト。
【請求項９】
前記吸着部材は、細孔を有する高分子材料であることを特徴とする請求項１に記載の防錆効果を有するボルト。
【考案の詳細な説明】
【技術分野】
【０００１】
本考案は、ボルトに関し、詳しくは防錆効果を有するボルトに関するものである。
【背景技術】
【０００２】
現今、ほとんどのボルトは金属製である。金属の活性が大きいため、ボルトを大気環境に露出させる場合、酸化反応し、錆が発生したことが原因でボルトと接合対象物とが錆付いてしまうか、ボルトと接合対象物とが腐食されてしまうという現象が発生する。強引に錆付いたボルトをはずす場合、ボルトまたは接合対象物を破壊しなければならないだけでなく、時間と力がかなりかかるため、非常に不便である。
【０００３】
従来のボルトの錆発生を抑制する方法は、ボルトの表面に油を塗布することである。しかし、暫くの時間が経ったら、塗布した油が環境または温度要素によって乾いて防錆効果を失ってしまうため、改善の余地がある。
【考案の概要】
【考案が解決しようとする課題】
【０００４】
本考案の主な目的は、防錆効果を有するボルトを提供することである。
【０００５】
本考案のもう一つの目的は、長期間で防錆作用を持続させることを可能にするボルトを提供することである。
【課題を解決するための手段】
【０００６】
上述の目的を達成するために、本考案によるボルトは、ボルトの内部に油収容空間を配置し、シャンクの周面に油収容空間へ連通する複数の誘導孔を配置し、油収容空間に防錆液体を吸収可能な吸着部材を配置することによって構成される。
【０００７】
油収容空間内の防錆液体を誘導孔からシャンクの外周面に浸透させることによってボルトに防錆作用を与えることが可能である。かつ防錆液体を徐々に滲出させることによって長時間の防錆効果を提供することが可能である。
【図面の簡単な説明】
【０００８】
【図１】本考案の第１実施形態の立体図である。
【図２】図１の縦方向に沿った断面図である。
【図３】本考案の第２実施形態の縦方向に沿った断面図である。
【図４】本考案の第３実施形態の縦方向に沿った断面図である。
【図５】本考案の第４実施形態の立体図である。
【図６】図４の縦方向に沿った断面図である。
【考案を実施するための形態】
【０００９】
本考案の目的、特徴および効果を説明するため、以下の複数の実施形態および図面に基づいて説明を進める。
（第１実施形態）
図１および図２に示すように、本考案の第１実施形態によるボルト１０は、ヘッド２０およびヘッド２０の一端に連結されるシャンク２５から構成される。ヘッド２０の外周面は多角形、例えば六角形を呈する。シャンク２５はヘッド２０の底部に形成され、外周面にねじ山２６を有する。
【００１０】
本考案はさらに油収容空間３０、複数の誘導孔４０、吸着部材５０およびキャップ５５を備える。
油収容空間３０は、ボルト１０の内部に配置され、ボルト１０の表面を貫通する少なくとも一つの開口部を有する。詳しく言えば、油収容空間３０は、連続する第一空間３２および第二空間３４を有する。第二空間３４はヘッド２０の中に位置付けられ、ボルト１０の頂部を貫通するため、開口部が形成される。第一空間３２はシャンク２５内に位置付けられ、第二空間３４と連続する。また第二空間３４の幅は第一空間３２の幅より大きければ好ましい。説明すべきなのは、油収容空間３０の形は本実施形態により掲示された形に限らず、単一の内径空間にすることも可能である。
【００１１】
複数の誘導孔４０は、適切な間隔をおいてボルト１０のシャンク２５の周面に配置され、かつ油収容空間３０の第一空間３２に連通するように奥へ延伸する。本実施形態において、誘導孔４０は複数の列（少なくとも二列）でシャンク２５に配列される。一列ごとに一定の間隔をおいて配列される複数の誘導孔４０を有する。
【００１２】
吸着部材５０は、潤滑油などの防錆液体を吸収するため、細孔を有する高分子材料または繊維材料、例えばスポンジまたは布製品などを採用することが可能である。吸着部材５０は、油収容空間３０内に装着される。実際に、潤滑油を吸着部材５０に含浸させ、そののち吸着部材５０を油収容空間３０内に装着するか、または吸着部材５０を油収容空間３０内に装着し、そののち油収容空間３０内に潤滑油を注入し、潤滑油を吸着部材５０に浸透させることも可能である。吸着部材５０は、第一空間３２および第二空間３４に完全に充満するか、または第一空間３２のみに充満することが可能であるため、油収容空間３０に防錆液体を充填することが可能となる。
【００１３】
キャップ５５は、油収容空間３０の開口部に装着され、潤滑油が開口部から流出すること及び吸着部材が開口部から逸脱することを避けることが可能である。またキャップ５５を開口部に固定するか、または取り外し可能な方法（締め付け方法）で開口部に設けることが可能である。
【００１４】
使用の際、レンチ（図中未表示）をボルト１０のヘッド２０に嵌めればボルト１０を回すことが可能である。
ボルト１０によって接合対象物を締め付ける際、油収容空間３０中の潤滑油は毛管現象によって誘導孔４０に沿ってシャンク２５の外周面に滲出し、保護膜を形成し、シャンク２５の表面を覆う。このときシャンク２５と接合対象物とのねじ孔間は潤滑油によって保護されるため、酸化反応および錆を引き起こすという現象が発生しない。従って、ボルト１０と接合対象物とが錆付いてしまうことを抑制することが可能である。
【００１５】
潤滑油は吸着部材から吸収され、迅速に流出することなく徐々に滲出するため、長時間の潤滑および防錆効果をボルトの表面に与えることが可能である。従って、長時間をわたっても、ボルトが錆びないように抑制することだけでなく、接合対象物またはボルトを破壊する必要なく、接合対象物からボルトを簡単に緩めることが可能となる。
【００１６】
（第２実施形態）
図３に示すように、本考案の第２実施形態によるボルト１０’は第１実施形態とほぼ同じであり、同じ部品は同じ符号で表示される。本実施形態において、油収容空間３０の両端はボルト１０’の頂部および底部を別々に貫通し、その開口部はキャップ５５及びキャップ５５’によって別々に密封される。
【００１７】
（第３実施形態）
図４に示すように、本考案の第３実施形態によるボルト６０は、連続するヘッド７２およびシャンク７４、油収容空間７５、若干の誘導孔７６および吸着部材７８を備える。シャンク７４は外周面にねじ山を有する。油収容空間７５はボルト６０中に配置され、誘導孔７６は油収容空間７５に連通するようにシャンク７４の周面に配置され、吸着部材７８は防錆液体を吸収するため、油収容空間７５中に装着される。
【００１８】
本実施形態において、油収容空間７５の開口部はシャンク７５の底部に形成され、キャップ７９は油収容空間７５の開口部に装着される。
【００１９】
同様に防錆液体は誘導孔７６からシャンク７４の表面に滲出し、防錆作用を果たすことが可能である。
【００２０】
ヘッド７２は頂部に駆動部７２１、例えば六角孔を有するため、レンチをヘッド７２の外周面に嵌めるか、または工具（例えば六角レンチ）と駆動部７２１とを連結すれば、ボルト６０を回すことが可能である。
【００２１】
（第４実施形態）
図５および図６に示すように、本考案の第４実施形態によるボルト８０は、同様にヘッド９２、シャンク９４、油収容空間９５、若干の誘導孔９６および吸着部材９８を備える。油収容空間９５はボルト８０中に配置され、誘導孔９６は油収容空間９５に連通するようにシャンク９４の周面に配置され、吸着部材９８は防錆液体を吸収するため、油収容空間９５中に装着される。
【００２２】
ヘッド９２は頂部に駆動部９２１が凹設されている。駆動部９２１は多角孔である。油収容空間９５の開口部は、駆動部９２１と連続するようにヘッド９２に位置付けられる。
【００２３】
キャップ９９は、油収容空間９５を密封するため、油収容空間９５の開口部および駆動部９２１の間に装着される。
【００２４】
本実施形態の使用効果は、上述の実施形態と同じであるため、説明を省略する。かつ、本実施形態は、油収容空間９５の開口部をシャンク９４の底部を配置することも可能である。
【符号の説明】
【００２５】
１０：ボルト、２０：ヘット、２５：シャンク、２６：ねじ山、３０：油収容空間、３２：第一空間、３４：第二空間、４０：誘導孔、５０：吸着部材、５５：キャップ、５５'： キャップ、６０：ボルト、７２：ヘット、７４：シャンク、７５：油収容空間、７６：誘導孔、７８：吸着部材、７９：キャップ、８０：ボルト、９２：ヘット、９４：シャンク、９５：油収容空間、９６：誘導孔、９８：吸着部材、９９：キャップ、７２１：駆動部、９２１：駆動部
【図１】
0003151188.tif 000003
【図２】
0003151188.tif 000004
【図３】
0003151188.tif 000005
【図４】
0003151188.tif 000006
【図５】
0003151188.tif 000007
【図６】
0003151188.tif 000008